【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
撮像装置であって、
前記撮像装置のロール方向の傾きとピッチ方向の傾きを検出する傾き検出部と、
撮像された画像と、前記撮像装置の傾き情報を表示する表示手段と、
前記撮像装置のロール方向の傾きが所定の範囲を超えた場合は前記傾き情報の表示の向きを切り替える表示制御手段と、を有し、
前記表示制御手段は、
前記撮像装置のピッチ方向の傾きが所定の範囲内であり、前記ロール方向の傾きが所  定の範囲を超えた場合は、前記傾き情報の表示の向きを切り替えて表示し、
前記撮像装置のピッチ方向の傾きが所定の範囲を超えた場合は、前記表示手段に表示していた前記傾き情報の表示の向きを固定して表示する、
ことを特徴とする撮像装置。
【請求項２】
前記撮像装置は横位置と縦位置
で撮像可能であって、
前記撮像装置のロール方向の傾きが所定の範囲を超えた場合とは、少なくとも前記撮像装置が横位置から縦位置に切り替わった場合、または、前記撮像装置が縦位置から横位置に切り替わった場合、を含む、
ことを特徴とする請求項１に記載の撮像装置。
【請求項３】
前記表示される前記傾き情報は、少なくともロール方向の傾き情報またはピッチ方向の傾き情報のいずれか一方であり、
前記撮像装置が横位置のとき、前記ロール方向の傾き情報は前記表示手段に対して横向きで表示され、前記ピッチ方向の傾き情報は前記表示手段に対して縦向きで表示される、
ことを特徴とする請求項１または２に記載の撮像装置。
【請求項４】
前記表示手段には、前記ロール方向の傾き情報と前記ピッチ方向の傾き情報の両方が表示される、
ことを特徴とする請求項３に記載の撮像装置。
【請求項５】
前記表示制御手段は、
前記ロール方向の傾き情報に対応する表示である、前記表示手段に対して前記横向きに表示された第１のバーと、前記ロール方向の傾きを示す、前記第１のバーに対し相対的に移動する第１のマーカ、を含むロール方向の傾きガイド表示、を表示する、
ことを特徴とする請求項３または請求項４に記載の撮像装置。
【請求項６】
前記表示制御手段は、
前記ピッチ方向の傾き情報に対応する表示である、前記表示手段に対して前記縦向きに表示された第２のバーと、前記ピッチ方向の傾きを示す、前記第２のバーに対し相対的に移動する第２のマーカ、を含むピッチ方向の傾きガイド表示、を表示する、
ことを特徴とする請求項３〜請求項５のいずれか１項に記載の撮像装置。
【請求項７】
前記表示制御手段は、
前記撮像装置のピッチ方向の傾きが所定の範囲を超えた場合は、前記第１バーの向きは固定して表示され、かつ前記第１のマーカを消す、
ことを特徴とする請求項５または請求項５を引用する請求項６に記載の撮像装置。
【請求項８】
前記表示制御手段は、
前記第１のマーカは、前記表示手段に対して前記第１のバーに沿って横向きに移動するよう表示する、
ことを特徴とする請求項５に記載の撮像装置。
【請求項９】
前記表示制御手段は、
前記第２のマーカは、前記表示手段に対して前記第２のバーに沿って縦向きに移動するよう表示する、
ことを特徴とする請求項６に記載の撮像装置。
【請求項１０】
前記ロール方向の傾き情報は、ロール角が０度±５度の状態と、該状態以外とで表示する色が異なっている、
ことを特徴とする請求項３〜９のいずれか１項に記載の撮像装置。
【請求項１１】
前記ピッチ方向の傾き情報は、ピッチ角が０度±５度の状態と、該状態以外とで表示する色が異なっている、
ことを特徴とする請求項３〜１０のいずれか１項に記載の撮像装置。
【請求項１２】
前記ロール方向の傾き情報と前記ピッチ方向の傾き情報の表示色が互いに異なっている、
ことを特徴とする請求項３〜６のいずれか１項に記載の撮像装置。
【請求項１３】
前記ロール方向の傾き情報と前記ピッチ方向の傾き情報の表示形態が互いに異なっている、
ことを特徴とする請求項３〜６のいずれか１項に記載の撮像装置。
【請求項１４】
前記傾き検出部で得られた検出データを基に前記撮像装置のロール角およびピッチ角の情報を算出する傾き算出部を有する、
ことを特徴とする請求項１〜１３のいずれか１項に記載の撮像装置。
【請求項１５】
撮像装置であって、
前記撮像装置のロール方向の傾きとピッチ方向の傾きを検出する傾き検出部と、
撮像された画像と、前記撮像装置の傾き情報を表示する表示手段と、
前記撮像装置のロール方向の傾きが所定の範囲を超えた場合は前記傾き情報の表示の向きを切り替える表示制御手段と、を有し、
前記表示される前記傾き情報は、ロール方向の傾き情報およびピッチ方向の傾き情報    であり、前記撮像装置が横位置のとき、前記ロール方向の傾き情報は前記表示手段に対して横向きで表示され、前記ピッチ方向の傾き情報は前記表示手段に対して縦向きで表示され、
前記表示制御手段は、
前記撮像装置のピッチ方向の傾きが所定の範囲内であり、前記ロール方向の傾きが所定の範囲を超えた場合は、前記傾き情報の表示の向きを切り替えて表示する、
ことを特徴とする撮像装置。
【請求項１６】
前記表示制御手段は、
前記ロール方向の傾き情報に対応する表示である、前記表示手段に対して前記横向きに表示された第１のバーと、前記ロール方向の傾きを示す、前記第１のバーに対し相対的に移動する第１のマーカ、を含むロール方向の傾きガイド表示、を表示する、
ことを特徴とする請求項１５に記載の撮像装置。
【請求項１７】
前記表示制御手段は、
前記ピッチ方向の傾き情報に対応する表示である、前記表示手段に対して前記縦向きに表示された第２のバーと、前記ピッチ方向の傾きを示す、前記第２のバーに対し相対的に移動する第２のマーカ、を含むピッチ方向の傾きガイド表示、を表示する、
ことを特徴とする請求項１５または請求項１６に記載の撮像装置。
【請求項１８】
前記表示制御手段は、
前記撮像装置のピッチ方向の傾きが所定の範囲を超えた場合は、前記第１バーの向きは固定して表示され、かつ前記第１のマーカを消す、
ことを特徴とする請求項１６または請求項１６を引用する請求項１７に記載の撮像装置。
【請求項１９】
前記表示制御手段は、
前記第１のマーカは、前記表示手段に対して前記第１のバーに沿って横向きに移動するよう表示する、
ことを特徴とする請求項１６に記載の撮像装置。
【請求項２０】
前記表示制御手段は、
前記第２のマーカは、前記表示手段に対して前記第２のバーに沿って縦向きに移動するよう表示する、
ことを特徴とする請求項１７に記載の撮像装置。
【請求項２１】
前記ロール方向の傾き情報は、ロール角が０度±５度の状態と、該状態以外とで表示する色が異なっている、
ことを特徴とする請求項１５〜２０のいずれか１項に記載の撮像装置。
【請求項２２】
前記ピッチ方向の傾き情報は、ピッチ角が０度±５度の状態と、該状態以外とで表示する色が異なっている、
ことを特徴とする請求項１５〜２１のいずれか１項に記載の撮像装置。
【請求項２３】
前記ロール方向の傾き情報と前記ピッチ方向の傾き情報の表示色が互いに異なっている、
ことを特徴とする請求項１５〜１７のいずれか１項に記載の撮像装置。
【請求項２４】
前記ロール方向の傾き情報と前記ピッチ方向の傾き情報の表示形態が互いに異なっている、
ことを特徴とする請求項１５〜１７のいずれか１項に記載の撮像装置。
【請求項２５】
前記傾き検出部で得られた検出データを基に前記撮像装置のロール角およびピッチ角の情報を算出する傾き算出部を有する、
ことを特徴とする請求項１５〜２４のいずれか１項に記載の撮像装置。
【請求項２６】
撮像装置に実行させるプログラムであって、
前記撮像装置のロール方向の傾きとピッチ方向の傾きを検出する傾き検出ステップと、
撮像された画像と、前記撮像装置の傾き情報を表示手段に表示する表示ステップと、
前記撮像装置のピッチ方向の傾きが所定の範囲内であり、前記ロール方向の傾きが所定の範囲を超えた場合は、前記傾き情報の表示の向きを切り替えて表示し、
前記撮像装置のピッチ方向の傾きが所定の範囲を超えた場合は、前記表示手段に表示していた前記傾き情報の表示の向きを固定して表示する表示制御ステップと、
を実行させるプログラム。
【請求項２７】
撮像装置に実行させるプログラムであって、
前記撮像装置のロール方向の傾きとピッチ方向の傾きを検出する傾き検出ステップと、
撮像された画像と、前記撮像装置の傾き情報を表示手段に表示する表示ステップと、
前記表示される前記傾き情報は、ロール方向の傾き情報およびピッチ方向の傾き情報であり、前記撮像装置が横位置のとき、前記ロール方向の傾き情報は前記表示手段に対して横向きで表示され、前記ピッチ方向の傾き情報は前記表示手段に対して縦向きで表示され、前記撮像装置のピッチ方向の傾きが所定の範囲内であり、前記ロール方向の傾きが所定の範囲を超えた場合は、前記傾き情報の表示の向きを切り替えて表示する表示制御ステップと、
を実行させるプログラム。
【手続補正２】
【補正対象書類名】明細書
【補正対象項目名】０００５
【補正方法】変更
【補正の内容】
【０００５】
請求項１に記載した本発明に係る撮像装置は、上述した目的を達成するために、
撮像装置であって、
前記撮像装置のロール方向の傾きとピッチ方向の傾きを検出する傾き検出部と、
撮像された画像と、前記撮像装置の傾き情報を表示する表示手段と、
前記撮像装置のロール方向の傾きが所定の範囲を超えた場合は前記傾き情報の表示の向きを切り替える表示制御手段と、を有し、
前記表示制御手段は、
前記撮像装置のピッチ方向の傾きが所定の範囲内であり、前記ロール方向の傾きが所  定の範囲を超えた場合は、前記傾き情報の表示の向きを切り替えて表示し、
前記撮像装置のピッチ方向の傾きが所定の範囲を超えた場合は、前記表示手段に表示していた前記傾き情報の表示の向きを固定して表示する、
ことを特徴としている。
請求項２に記載した本発明に係る撮像装置は、請求項１の撮像装置であって、
前記撮像装置は横位置と縦位置
で撮像可能であって、
前記撮像装置のロール方向の傾きが所定の範囲を超えた場合とは、少なくとも前記撮像装置が横位置から縦位置に切り替わった場合、または、前記撮像装置が縦位置から横位置に切り替わった場合、を含む、
ことを特徴としている。
【手続補正３】
【補正対象書類名】明細書
【補正対象項目名】０００６
【補正方法】変更
【補正の内容】
【０００６】
請求項３に記載した本発明に係る撮像装置は、請求項１または請求項２の撮像装置であって、
前記表示される前記傾き情報は、少なくともロール方向の傾き情報またはピッチ方向の傾き情報のいずれか一方であり、
前記撮像装置が横位置のとき、前記ロール方向の傾き情報は前記表示手段に対して横向きで表示され、前記ピッチ方向の傾き情報は前記表示手段に対して縦向きで表示される、
ことを特徴としている。
請求項４に記載した本発明に係る撮像装置は、請求項３に記載の撮像装置であって、
前記表示手段には、前記ロール方向の傾き情報と前記ピッチ方向の傾き情報の両方が表示される、
ことを特徴としている。
請求項５に記載した本発明に係る撮像装置は、請求項３または請求項４の撮像装置であって、
前記表示制御手段は、
前記ロール方向の傾き情報に対応する表示である、前記表示手段に対して前記横向きに表示された第１のバーと、前記ロール方向の傾きを示す、前記第１のバーに対し相対的に移動する第１のマーカ、を含むロール方向の傾きガイド表示、を表示する、
ことを特徴としている。
【手続補正４】
【補正対象書類名】明細書
【補正対象項目名】０００７
【補正方法】変更
【補正の内容】
【０００７】
請求項６に記載した本発明に係る撮像装置は、請求項３〜請求項５のいずれか１項の撮像装置であって、
前記表示制御手段は、
前記ピッチ方向の傾き情報に対応する表示である、前記表示手段に対して前記縦向きに表示された第２のバーと、前記ピッチ方向の傾きを示す、前記第２のバーに対し相対的に移動する第２のマーカ、を含むピッチ方向の傾きガイド表示、を表示する、
ことを特徴としている。
請求項７に記載した本発明に係る撮像装置は、前記表示制御手段は、請求項５または請求項５を引用する請求項６の撮像装置であって、
前記撮像装置のピッチ方向の傾きが所定の範囲を超えた場合は、前記第１バーの向きは固定して表示され、かつ前記第１のマーカを消す、
ことを特徴としている。
請求項８に記載した本発明に係る撮像装置は、請求項５の撮像装置であって、
前記表示制御手段は、
前記第１のマーカは、前記表示手段に対して前記第１のバーに沿って横向きに移動するよう表示する、
ことを特徴としている。
【手続補正５】
【補正対象書類名】明細書
【補正対象項目名】０００８
【補正方法】変更
【補正の内容】
【０００８】
請求項９に記載した本発明に係る撮像装置は、請求項６の撮像装置であって、
前記表示制御手段は、
前記第２のマーカは、前記表示手段に対して前記第２のバーに沿って縦向きに移動するよう表示する、
ことを特徴としている。
請求項１０に記載した本発明に係る撮像装置は、請求項３〜９のいずれか１項の撮像装置であって、
前記ロール方向の傾き情報は、ロール角が０度±５度の状態と、該状態以外とで表示する色が異なっている、
ことを特徴としている。
【手続補正６】
【補正対象書類名】明細書
【補正対象項目名】０００９
【補正方法】変更
【補正の内容】
【０００９】
請求項１１に記載した本発明に係る撮像装置は、請求項３〜１０のいずれか１項の撮像装置であって、
前記ピッチ方向の傾き情報は、ピッチ角が０度±５度の状態と、該状態以外とで表示する色が異なっている、
ことを特徴としている。
請求項１２に記載した本発明に係る撮像装置は、請求項３〜請求項６のいずれか１項の撮像装置であって、
前記ロール方向の傾き情報と前記ピッチ方向の傾き情報の表示色が互いに異なっている、
ことを特徴としている。
請求項１３に記載した本発明に係る撮像装置は、請求項３〜請求項６のいずれか１項の撮像装置であって、
前記ロール方向の傾き情報と前記ピッチ方向の傾き情報の表示形態が互いに異なっている、
ことを特徴としている。
【手続補正７】
【補正対象書類名】明細書
【補正対象項目名】００１０
【補正方法】変更
【補正の内容】
【００１０】
請求項１４に記載した本発明に係る撮像装置は、請求項１〜請求項１３のいずれか１項の撮像装置であって、
前記傾き検出部で得られた検出データを基に前記撮像装置のロール角およびピッチ角の情報を算出する傾き算出部を有する、
ことを特徴としている。
請求項１５に記載した本発明に係る撮像装置は、上述した目的を達成するために、
撮像装置であって、
前記撮像装置のロール方向の傾きとピッチ方向の傾きを検出する傾き検出部と、
撮像された画像と、前記撮像装置の傾き情報を表示する表示手段と、
前記撮像装置のロール方向の傾きが所定の範囲を超えた場合は前記傾き情報の表示の向きを切り替える表示制御手段と、を有し、
前記表示される前記傾き情報は、ロール方向の傾き情報およびピッチ方向の傾き情報    であり、前記撮像装置が横位置のとき、前記ロール方向の傾き情報は前記表示手段に対して横向きで表示され、前記ピッチ方向の傾き情報は前記表示手段に対して縦向きで表示され、
前記表示制御手段は、
前記撮像装置のピッチ方向の傾きが所定の範囲内であり、前記ロール方向の傾きが所定の範囲を超えた場合は、前記傾き情報の表示の向きを切り替えて表示する、
ことを特徴としている。
請求項１６に記載した本発明に係る撮像装置は、請求項１５の撮像装置であって、
前記表示制御手段は、
前記ロール方向の傾き情報に対応する表示である、前記表示手段に対して前記横向きに表示された第１のバーと、前記ロール方向の傾きを示す、前記第１のバーに対し相対的に移動する第１のマーカ、を含むロール方向の傾きガイド表示、を表示する、
ことを特徴としている。
請求項１７に記載した本発明に係る撮像装置は、請求項１５または請求項１６の撮像装置であって、
前記表示制御手段は、
前記ピッチ方向の傾き情報に対応する表示である、前記表示手段に対して前記縦向きに表示された第２のバーと、前記ピッチ方向の傾きを示す、前記第２のバーに対し相対的に移動する第２のマーカ、を含むピッチ方向の傾きガイド表示、を表示する、
ことを特徴としている。
【手続補正８】
【補正対象書類名】明細書
【補正対象項目名】００１１
【補正方法】変更
【補正の内容】
【００１１】
請求項１８に記載した本発明に係る撮像装置は、請求項１６または請求項１６を引用する請求項１７の撮像装置であって、
前記表示制御手段は、
前記撮像装置のピッチ方向の傾きが所定の範囲を超えた場合は、前記第１バーの向きは固定して表示され、かつ前記第１のマーカを消す、
ことを特徴としている。
請求項１９に記載した本発明に係る撮像装置は、請求項１６の撮像装置であって、
前記表示制御手段は、
前記第１のマーカは、前記表示手段に対して前記第１のバーに沿って横向きに移動するよう表示する、
ことを特徴としている。
請求項２０に記載した本発明に係る撮像装置は、請求項１７の撮像装置であって、
前記表示制御手段は、
前記第２のマーカは、前記表示手段に対して前記第２のバーに沿って縦向きに移動するよう表示する、
ことを特徴としている。
【手続補正９】
【補正対象書類名】明細書
【補正対象項目名】００１２
【補正方法】変更
【補正の内容】
【００１２】
請求項２１に記載した本発明に係る撮像装置は、請求項１５〜請求項２０のいずれか１
項の撮像装置であって、
前記ロール方向の傾き情報は、ロール角が０度±５度の状態と、該状態以外とで表示する色が異なっている、
ことを特徴としている。
請求項２２に記載した本発明に係る撮像装置は、請求項１５〜請求項２１のいずれか１
項の撮像装置であって、
前記ピッチ方向の傾き情報は、ピッチ角が０度±５度の状態と、該状態以外とで表示する色が異なっている、
ことを特徴としている。
請求項２３に記載した本発明に係る撮像装置は、請求項１５〜１７のいずれか１項の撮像装置であって、
前記ロール方向の傾き情報と前記ピッチ方向の傾き情報の表示色が互いに異なっている、
ことを特徴としている。
【手続補正１０】
【補正対象書類名】明細書
【補正対象項目名】００１３
【補正方法】変更
【補正の内容】
【００１３】
請求項２４に記載した本発明に係る撮像装置は、請求項１５〜１７のいずれか１項の撮像装置であって、
前記ロール方向の傾き情報と前記ピッチ方向の傾き情報の表示形態が互いに異なっている、
ことを特徴としている。
請求項２５に記載した本発明に係る撮像装置は、請求項１５〜２４のいずれか１項の撮像装置であって、
前記傾き検出部で得られた検出データを基に前記撮像装置のロール角およびピッチ角の情報を算出する傾き算出部を有する、
ことを特徴としている。
【手続補正１１】
【補正対象書類名】明細書
【補正対象項目名】００１４
【補正方法】変更
【補正の内容】
【００１４】
請求項２６に記載した本発明に係るプログラムは、上述した目的を達成するために、
撮像装置に実行させるプログラムであって、
前記撮像装置のロール方向の傾きとピッチ方向の傾きを検出する傾き検出ステップと、
撮像された画像と、前記撮像装置の傾き情報を表示手段に表示する表示ステップと、
前記撮像装置のピッチ方向の傾きが所定の範囲内であり、前記ロール方向の傾きが所定の範囲を超えた場合は、前記傾き情報の表示の向きを切り替えて表示し、
前記撮像装置のピッチ方向の傾きが所定の範囲を超えた場合は、前記表示手段に表示していた前記傾き情報の表示の向きを固定して表示する表示制御ステップと、
を実行させる、
ことを特徴としている。
請求項２７に記載した本発明に係るプログラムは、上述した目的を達成するために、
撮像装置に実行させるプログラムであって、
前記撮像装置のロール方向の傾きとピッチ方向の傾きを検出する傾き検出ステップと、
撮像された画像と、前記撮像装置の傾き情報を表示手段に表示する表示ステップと、
前記表示される前記傾き情報は、ロール方向の傾き情報およびピッチ方向の傾き情報であり、前記撮像装置が横位置のとき、前記ロール方向の傾き情報は前記表示手段に対して横向きで表示され、前記ピッチ方向の傾き情報は前記表示手段に対して縦向きで表示され、前記撮像装置のピッチ方向の傾きが所定の範囲内であり、前記ロール方向の傾きが所定の範囲を超えた場合は、前記傾き情報の表示の向きを切り替えて表示する表示制御ステップと、
を実行させる、
ことを特徴としている。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
本発明の請求項１の撮像装置によれば、
撮像装置であって、
前記撮像装置のロール方向の傾きとピッチ方向の傾きを検出する傾き検出部と、
撮像された画像と、前記撮像装置の傾き情報を表示する表示手段と、
前記撮像装置のロール方向の傾きが所定の範囲を超えた場合は前記傾き情報の表示の向きを切り替える表示制御手段と、を有し、
前記表示制御手段は、
前記撮像装置のピッチ方向の傾きが所定の範囲内であり、前記ロール方向の傾きが所  定の範囲を超えた場合は、前記傾き情報の表示の向きを切り替えて表示し、
前記撮像装置のピッチ方向の傾きが所定の範囲を超えた場合は、前記表示手段に表示していた前記傾き情報の表示の向きを固定して表示する、ことにより、撮像装置を構えたとき撮像装置の傾きに応じて画像表示部における傾き情報が見易くなって、正確に把握することができ、延いては操作性を向上させることができる。
【手続補正１４】
【補正対象書類名】明細書
【補正対象項目名】００１７
【補正方法】変更
【補正の内容】
【００１７】
本発明の請求項２の撮像装置によれば、請求項１に記載の撮像装置において、
前記撮像装置は横位置と縦位置
で撮像可能であって、
前記撮像装置のロール方向の傾きが所定の範囲を超えた場合とは、少なくとも前記撮像装置が横位置から縦位置に切り替わった場合、または、前記撮像装置が縦位置から横位置に切り替わった場合、を含む、ことにより、傾きガイド情報を容易に把握することができる。
本発明の請求項３の撮像装置によれば、請求項１または請求項２に記載の撮像装置において、
前記表示される前記傾き情報は、少なくともロール方向の傾き情報またはピッチ方向の傾き情報のいずれか一方であり、
前記撮像装置が横位置のとき、前記ロール方向の傾き情報は前記表示手段に対して横向きで表示され、前記ピッチ方向の傾き情報は前記表示手段に対して縦向きで表示される、ことにより、ユーザにとって、頗る使い勝手のよい撮像装置とすることができる。
【手続補正１５】
【補正対象書類名】明細書
【補正対象項目名】００１８
【補正方法】変更
【補正の内容】
【００１８】
本発明の請求項４の撮像装置によれば、請求項３に記載の撮像装置において、
前記表示手段には、前記ロール方向の傾き情報と前記ピッチ方向の傾き情報の両方が表示される、ことにより、ユーザにとって、頗る使い勝手のよい撮像装置とすることができる。
【手続補正１６】
【補正対象書類名】明細書
【補正対象項目名】００１９
【補正方法】変更
【補正の内容】
【００１９】
本発明の請求項５の撮像装置によれば、請求項３または請求項４に記載の撮像装置において、
前記表示制御手段は、
前記ロール方向の傾き情報に対応する表示である、前記表示手段に対して前記横向きに表示された第１のバーと、前記ロール方向の傾きを示す、前記第１のバーに対し相対的に移動する第１のマーカ、を含むロール方向の傾きガイド表示、を表示する、ことにより、ロール方向の傾きをユーザに容易且つ正確に把握させることができる。
本発明の請求項６の撮像装置によれば、請求項３〜６のいずれか１項に記載の撮像装置において、
前記表示制御手段は、
前記ピッチ方向の傾き情報に対応する表示である、前記表示手段に対して前記縦向きに表示された第２のバーと、前記ピッチ方向の傾きを示す、前記第２のバーに対し相対的に移動する第２のマーカ、を含むピッチ方向の傾きガイド表示、を表示する、ことにより、ピッチ方向の傾きをユーザに容易且つ正確に把握させることができる。
【手続補正１７】
【補正対象書類名】明細書
【補正対象項目名】００２０
【補正方法】変更
【補正の内容】
【００２０】
本発明の請求項７の撮像装置によれば、請求項５または請求項５を引用する請求項６に記載の撮像装置において、
前記表示制御手段は、
前記撮像装置のピッチ方向の傾きが所定の範囲を超えた場合は、前記第１バーの向きは固定して表示され、かつ前記第１のマーカを消す、ことにより、撮像装置のピッチ方向の傾きが所定の範囲内であるときにのみロール角の傾きを表示させることができる。
本発明の請求項８の撮像装置によれば、請求項５に記載の撮像装置において、
前記表示制御手段は、
前記第１のマーカは、前記表示手段に対して前記第１のバーに沿って横向きに移動するよう表示する、ことにより、ロール方向の傾きをユーザに容易且つ正確に把握させることができる。
【手続補正１８】
【補正対象書類名】明細書
【補正対象項目名】００２１
【補正方法】変更
【補正の内容】
【００２１】
本発明の請求項９の撮像装置によれば、請求項６に記載の撮像装置において、
前記表示制御手段は、
前記第２のマーカは、前記表示手段に対して前記第２のバーに沿って縦向きに移動するよう表示する、ことにより、ピッチ方向の傾きをユーザに容易且つ正確に把握させることができる。
【手続補正１９】
【補正対象書類名】明細書
【補正対象項目名】００２２
【補正方法】変更
【補正の内容】
【００２２】
本発明の請求項１０の撮像装置によれば、請求項３〜９のいずれか１項に記載の撮像装置において、
前記ロール方向の傾き情報は、ロール角が０度±５度の状態と、該状態以外とで表示する色が異なっている、ことにより、ユーザにとって、頗る使い勝手のよい撮像装置とすることができる。
本発明の請求項１１の撮像装置によれば、請求項３〜１０のいずれか１項に記載の撮像装置において、
前記ピッチ方向の傾き情報は、ピッチ角が０度±５度の状態と、該状態以外とで表示する色が異なっている、ことにより、ユーザにとって、頗る使い勝手のよい撮像装置とすることができる。
【手続補正２０】
【補正対象書類名】明細書
【補正対象項目名】００２３
【補正方法】変更
【補正の内容】
【００２３】
本発明の請求項１２の撮像装置によれば、請求項３〜６のいずれか１項に記載の撮像装置において、
前記ロール方向の傾き情報と前記ピッチ方向の傾き情報の表示色が互いに異なっている、ことにより、ユーザにとって、頗る使い勝手のよい撮像装置とすることができる。
【手続補正２１】
【補正対象書類名】明細書
【補正対象項目名】００２４
【補正方法】変更
【補正の内容】
【００２４】
本発明の請求項１３の撮像装置によれば、請求項３〜請求項６のいずれか１項に記載の撮像装置において、
前記ロール方向の傾き情報と前記ピッチ方向の傾き情報の表示形態が互いに異なっている、ことにより、ユーザにとって、頗る使い勝手のよい撮像装置とすることができる。
本発明の請求項１４の撮像装置によれば、請求項１〜請求項１３のいずれか１項に記載の撮像装置において、
前記傾き検出部で得られた検出データを基に前記撮像装置のロール角およびピッチ角の情報を算出する傾き算出部を有する、ことにより、撮影者が、撮影装置のロール方向およびピッチ方向の傾きを適確に把握することが可能となる。
【手続補正２２】
【補正対象書類名】明細書
【補正対象項目名】００２５
【補正方法】変更
【補正の内容】
【００２５】
本発明の請求項１５の撮像装置によれば
撮像装置であって、
前記撮像装置のロール方向の傾きとピッチ方向の傾きを検出する傾き検出部と、
撮像された画像と、前記撮像装置の傾き情報を表示する表示手段と、
前記撮像装置のロール方向の傾きが所定の範囲を超えた場合は前記傾き情報の表示の向きを切り替える表示制御手段と、を有し、
前記表示される前記傾き情報は、ロール方向の傾き情報およびピッチ方向の傾き情報    であり、前記撮像装置が横位置のとき、前記ロール方向の傾き情報は前記表示手段に対して横向きで表示され、前記ピッチ方向の傾き情報は前記表示手段に対して縦向きで表示され、
前記表示制御手段は、
前記撮像装置のピッチ方向の傾きが所定の範囲内であり、前記ロール方向の傾きが所定の範囲を超えた場合は、前記傾き情報の表示の向きを切り替えて表示する、ことにより、撮像装置を構えたとき撮像装置の傾きに応じて画像表示部における傾き情報が見易くなって、正確に把握することができ、延いては操作性を向上させることができる。
本発明の請求項１６の撮像装置によれば、請求項１５記載の撮像装置において、
前記表示制御手段は、
前記ロール方向の傾き情報に対応する表示である、前記表示手段に対して前記横向きに表示された第１のバーと、前記ロール方向の傾きを示す、前記第１のバーに対し相対的に移動する第１のマーカ、を含むロール方向の傾きガイド表示、を表示する、ことにより、ロール方向の傾きをユーザに容易且つ正確に把握させることができる。
本発明の請求項１７の撮像装置によれば、請求項１５または請求項１６に記載の撮像装置において、
前記表示制御手段は、
前記ピッチ方向の傾き情報に対応する表示である、前記表示手段に対して前記縦向きに表示された第２のバーと、前記ピッチ方向の傾きを示す、前記第２のバーに対し相対的に移動する第２のマーカ、を含むピッチ方向の傾きガイド表示、を表示する、ことにより、ピッチ方向の傾きをユーザに容易且つ正確に把握させることができる。
【手続補正２３】
【補正対象書類名】明細書
【補正対象項目名】００２６
【補正方法】変更
【補正の内容】
【００２６】
本発明の請求項１８の撮像装置によれば、請求項１６または請求項１６を引用する請求項１７に記載の撮像装置おいて、
前記表示制御手段は、
前記撮像装置のピッチ方向の傾きが所定の範囲を超えた場合は、前記第１バーの向きは固定して表示され、かつ前記第１のマーカを消す、ことにより撮像装置のピッチ方向の傾きが所定の範囲内であるときにのみロール角の傾きを表示させることができる。
本発明の請求項１９の撮像装置によれば、請求項１６に記載の撮像装置において、
前記表示制御手段は、
前記第１のマーカは、前記表示手段に対して前記第１のバーに沿って横向きに移動するよう表示する、ことにより、ロール方向の傾きをユーザに容易且つ正確に把握させることができる。
【手続補正２４】
【補正対象書類名】明細書
【補正対象項目名】００２７
【補正方法】変更
【補正の内容】
【００２７】
本発明の請求項２０の撮像装置によれば、請求項１７に記載の撮像装置において、
前記表示制御手段は、
前記第２のマーカは、前記表示手段に対して前記第２のバーに沿って縦向きに移動するよう表示する、ことにより、ピッチ方向の傾きをユーザに容易且つ正確に把握させることができる。
本発明の請求項２１の撮像装置によれば、請求項１５〜請求項２０のいずれか１項に記載の撮像装置において、
前記ロール方向の傾き情報は、ロール角が０度±５度の状態と、該状態以外とで表示する色が異なっている、ことにより、ユーザにとって、頗る使い勝手のよい撮像装置とすることができる。
本発明の請求項２２の撮像装置によれば、請求項１５〜請求項２１のいずれか１項に記載の撮像装置において、
前記ピッチ方向の傾き情報は、ピッチ角が０度±５度の状態と、該状態以外とで表示する色が異なっている、ことにより、ユーザにとって、頗る使い勝手のよい撮像装置とすることができる。
【手続補正２５】
【補正対象書類名】明細書
【補正対象項目名】００２８
【補正方法】変更
【補正の内容】
【００２８】
本発明の請求項２３の撮像装置によれば、請求項１５〜請求項１７のいずれか１項に記載の撮像装置において、
前記ロール方向の傾き情報と前記ピッチ方向の傾き情報の表示色が互いに異なっている、ことにより、ユーザにとって、頗る使い勝手のよい撮像装置とすることができる。
本発明の請求項２４の撮像装置によれば、請求項１５〜１７のいずれか１項に記載の撮像装置において、
前記ロール方向の傾き情報と前記ピッチ方向の傾き情報の表示形態が互いに異なっている、ことにより、ユーザにとって、頗る使い勝手のよい撮像装置とすることができる。
本発明の請求項２５の撮像装置によれば、請求項１５〜２４のいずれか１項に記載の撮像装置において、
前記傾き検出部で得られた検出データを基に前記撮像装置のロール角およびピッチ角の情報を算出する傾き算出部を有する、ことにより、撮影者が、撮影装置のロール方向およびピッチ方向の傾きを適確に把握することが可能となる。
【手続補正２６】
【補正対象書類名】明細書
【補正対象項目名】００２９
【補正方法】変更
【補正の内容】
【００２９】
本発明の請求項２６のプログラムによれば、
撮像装置に実行させるプログラムであって、
前記撮像装置のロール方向の傾きとピッチ方向の傾きを検出する傾き検出ステップと、
撮像された画像と、前記撮像装置の傾き情報を表示手段に表示する表示ステップと、
前記撮像装置のピッチ方向の傾きが所定の範囲内であり、前記ロール方向の傾きが所定の範囲を超えた場合は、前記傾き情報の表示の向きを切り替えて表示し、
前記撮像装置のピッチ方向の傾きが所定の範囲を超えた場合は、前記表示手段に表示していた前記傾き情報の表示の向きを固定して表示する表示制御ステップと、
を実行させる、ことにより、撮像装置を構えたとき撮像装置の傾きに応じて画像表示部における傾き情報が見易くなって、正確に把握することができ、延いては操作性を向上させることができる。
【手続補正２７】
【補正対象書類名】明細書
【補正対象項目名】００３０
【補正方法】変更
【補正の内容】
【００３０】
本発明の請求項２７のプログラムによれば、
撮像装置に実行させるプログラムであって、
前記撮像装置のロール方向の傾きとピッチ方向の傾きを検出する傾き検出ステップと、
撮像された画像と、前記撮像装置の傾き情報を表示手段に表示する表示ステップと、
前記表示される前記傾き情報は、ロール方向の傾き情報およびピッチ方向の傾き情報であり、前記撮像装置が横位置のとき、前記ロール方向の傾き情報は前記表示手段に対して横向きで表示され、前記ピッチ方向の傾き情報は前記表示手段に対して縦向きで表示され、前記撮像装置のピッチ方向の傾きが所定の範囲内であり、前記ロール方向の傾きが所定の範囲を超えた場合は、前記傾き情報の表示の向きを切り替えて表示する表示制御ステップと、
を実行させる、ことにより、撮像装置を構えたとき撮像装置の傾きに応じて画像表示部における傾き情報が見易くなって、正確に把握することができ、延いては操作性を向上させることができる。
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】